(57)【要約】【課題】棚を便利で早く組み立てることができ、組立後に棚が堅固に結合維持され、棚の全高を調節して設置することができ、アングル本体の垂直フレームと水平フレーム間の組立のための係合孔及び係合突起が外側面に露出せずにデザイン的な美観を満たすことができる組立式棚を提供する。【解決手段】直角形状に連結された支持部及び各支持部の内側端から内側に折り曲げられて支持部との間に挿合部を形成する締結部からなり、複数の係合孔を各締結部に備えている垂直フレームと、直角形状に連結された連結部及び受け部からなり、前記係合孔に係合される係合突起を前記連結部の外側面両側に備えている水平フレームとからなり、前記垂直フレームに前記水平フレームを結合することによって組み立てられるアングル本体、支持板、及び前記挿合部に挿入される挿入部を備えたブラケットを含んでなる組立式棚。【選択図】図１
2019170999.tif 000002
【特許請求の範囲】
【請求項１】
直角形状に連結された支持部、及び各支持部の内側端から内側に折り曲げられて支持部との間に挿合部を形成する締結部からなり、複数の係合孔を各締結部に備えている垂直フレームと、
直角形状に連結された連結部及び受け部からなり、前記係合孔に係合される係合突起を前記連結部の外側面両側に備えている水平フレームとからなり、
前記垂直フレームに前記水平フレームを結合することによって組み立てられるアングル本体、
前記アングル本体の前記受け部に支持されるように組み立てられる支持板、及び
前記垂直フレームを２個以上連結して上下に延長することができるように、直角形状に連結されて前記挿合部に挿入される挿入部を備えたブラケット、
を含んでなることを特徴とする組立式棚。
【請求項２】
前記ブラケットは、前記挿入部の内外側面の中間から突出し、上下側の垂直フレームの端部が係止する係止フランジを含むことを特徴とする、請求項１に記載の組立式棚。
【請求項３】
前記ブラケットは、各挿入部の内側面に長手方向に凹設され、左右に所定間隔で離隔した一対のスライド溝と、スライド溝間に備えられた突出部の上端、中間及び下端に突設された第１支持突部とを含むことを特徴とする、請求項１に記載の組立式棚。
【請求項４】
前記ブラケットは、各スライド溝の外側辺の上端と中間から内側辺に向かって突設された第２支持突部を含むことを特徴とする、請求項３に記載の組立式棚。
【発明の詳細な説明】
【技術分野】
【０００１】
本発明は、露出しない係合孔を備えた組立式棚に関する。
より詳しくは、垂直フレームと水平フレームの組立を可能にする係合孔及び係合突起が外部に露出しないのでデザイン的な美観を高めることができ、
棚の全高を必要に応じて調節して設置することができるように、
直角形状に連結された支持部、及び各支持部の内側端から内側に折り曲げられて支持部との間に挿合部を形成する締結部からなり、複数の係合孔を各締結部に備えている垂直フレームと、
直角形状に連結された連結部及び受け部からなり、前記係合孔に係合される係合突起を前記連結部の外側面両側に備えている水平フレームとからなり、
前記垂直フレームに前記水平フレームを結合することによって組み立てられるアングル本体、
前記アングル本体の受け部に支持されるように組み立てられる支持板、及び
前記垂直フレームを２個以上連結して上下に延長することができるように、直角形状に連結されて前記挿合部に挿入される挿入部を備えたブラケット、
を含んでなる組立式棚に関する。
【背景技術】
【０００２】
品物を収納するための棚において、品物のサイズによって棚の高さを調節することができる機能を有する多様な技術が提示されている。これらの技術を提示する文献としては、代表的に、韓国実用新案登録第２０−０２２８６０９号（特許文献１）、韓国特許公開第１０−２００９−００２６５８８号（特許文献２）、韓国特許公開第１０−２００５−００７８９１１号（特許文献３）などを挙げることができる。
【０００３】
前記の文献は、棚の高さを調節するためのアングルの結合構造又は結合手段を提示しているが、これらの技術では、棚の着脱のために工具でボルトを組み立てなければならない煩わしさがあり、棚を固定するための係合突起の構造上、大きな重さを支えることが難しくその製作が複雑との欠点がある。
【０００４】
特に、前記従来の技術は、棚の組立に必要な係合孔及びこれに結合される係合突起が垂直フレームの外側面にそのまま露出される構造であるから、棚のデザインにおける美観が低下するとの欠点があり、さらに、垂直フレームの長さによって棚の全高が決定されるから、使用者の必要により棚の高さを調節して設置することができないとの欠点がある。
【先行技術文献】
【特許文献】
【０００５】
【特許文献１】韓国実用新案登録第２０−０２２８６０９号公報
【特許文献２】韓国特許公開第１０−２００９−００２６５８８号公報
【特許文献３】韓国特許公開第１０−２００５−００７８９１１号公報
【発明の概要】
【発明が解決しようとする課題】
【０００６】
そこで、本発明は、前述の問題点を解決するためになされたもので、棚を便利で早く組み立てることができ、組立後に棚が堅固に結合維持され、使用者の必要により棚の全高を調節して設置することができ、特にアングル本体の垂直フレームと水平フレーム間の組立のための係合孔及び係合突起が外側面に露出せずに棚の全体デザインをシンプルにしてデザイン的な美観を満たすことができる組立式棚を提供することを目的とする。
【課題を解決するための手段】
【０００７】
前記のような目的を達成するために、本発明による組立式棚は、
直角形状に連結された支持部、及び各支持部の内側端から内側に折り曲げられて支持部との間に挿合部を形成する締結部からなり、複数の係合孔を各締結部に備えている垂直フレームと、
直角形状に連結された連結部及び受け部からなり、前記係合孔に係合される係合突起を前記連結部の外側面両側に備えている水平フレームとからなり、
前記垂直フレームに前記水平フレームを結合することによって組み立てられるアングル本体、
前記アングル本体の前記受け部に支持されるように組み立てられる支持板、及び
前記垂直フレームを２個以上連結して上下に延長することができるように、直角形状に連結されて前記挿合部に挿入される挿入部を備えたブラケット、
を含んでなる。
【０００８】
本発明による組立式棚において、前記ブラケットは、挿入部の内外側面の中間から突出し、上下側の垂直フレームの端部が係止される係止フランジを含むことができる。
【０００９】
本発明による組立式棚において、前記ブラケットは、各挿入部の内側面に長手方向に凹設され、左右に所定間隔で離隔した一対のスライド溝と、スライド溝間に備えられた突出部の上端、中間及び下端に突設された第１支持突部とを含むことができる。
【００１０】
本発明による組立式棚において、前記ブラケットは、各スライド溝の外側辺の上端と中間から内側辺に向かって突設された第２支持突部を含むことができる。
【発明の効果】
【００１１】
本発明による組立式棚は、垂直フレームと水平フレームを容易に堅固に組立てるために使われる係合孔及び係合突起がアングル本体の外部に露出しないので、棚の全体デザインをシンプルにして美観を高めることができる。
【００１２】
特に、垂直フレームの挿合部によって結合されるブラケットによって棚の全高を必要に応じて調節して設置することができることはもちろんのこと、ブラケットそのものの外部露出面積を最小化して垂直フレーム間の堅固な結合をなすとともに美観の低下を防止することができる。
【００１３】
そして、垂直フレームの挿合部とブラケットの挿入部の摩擦面積を減らしてブラケットの結合を容易にするとともに、支持突部が締結部の内側面を均一に支持することにより、係合孔によって垂直フレームとブラケットの結合力が低下することを防止することができるとの効果がある。
【図面の簡単な説明】
【００１４】
【図１】本発明による組立式棚の１次分解斜視図である。
【図２】本発明による組立式棚の要部分解斜視図である。
【図３】本発明による垂直フレームとブラケットを示す斜視図である。
【発明を実施するための形態】
【００１５】
本発明は多様な変更を加えることができ、いろいろの形態を有することができる。以下、具現例（態様、ａｓｐｅｃｔ、又は実施例）を詳細に説明する。しかし、これは本発明を特定の開示形態に限定するものではなく、本発明は、その思想及び技術範囲に含まれる全ての変更、均等物ないし代替物を含むものに理解しなければならない。
【００１６】
各図において同一の参照符号、特に十の桁及び一の桁、又は十の桁、一の桁及びアルファベットが同じ参照符号は、同一又は類似の機能を有する部材を示し、特に言及がない場合、図面の各参照符号が指称する部材はこの基準に準ずる部材に把握すれば良い。
また、各図において、構成要素は、理解の便宜上サイズや厚さを誇張して大きく（又は厚く）あるいは小さく（又は薄く）表現され、又は単純化して表現されているが、これにより本発明の保護範囲を制限して解釈してはならない。
本明細書で使用した用語は、ただ特定の具現例（態様、ａｓｐｅｃｔ、又は実施例）を説明するために使用されたもので、本発明を限定しようとする意図で使用されたものではない。単数の表現は文脈上特に明記しない限り、複数の表現を含む。
【００１７】
本出願において、「含む」又は「なる」などの用語は明細書上に記載された特徴、数字、段階、動作、構成要素、部品又はこれらの組合せが存在することを示すものであり、一つ又はそれ以上の他の特徴、数字、段階、動作、構成要素、部品又はこれらの組合せの存在又は付加の可能性を予め排除するものではない。
【００１８】
特に定義がない限り、技術的ないし科学的な用語を含み、ここで使われる全ての用語は本発明が属する技術分野で通常の知識を有する者によって一般的に理解されるものと同一の意味を持っている。一般的に使われる辞書に定義されているような用語は関連技術が文脈上有する意味と一致する意味を有するものに解釈されなければならず、本出願において明らかに定義しない限り、理想的なあるいは過度に形式的な意味に解釈されない。
本明細書で記述する〜第１〜、〜第２〜などは互いに異なる構成要素を区分するためのものであり、製造手順を限定するものではなく、発明の詳細な説明及び請求範囲でその名称が一致しないこともあり得る。
【００１９】
本発明による組立式棚の説明において、便宜のために厳密ではない大略の方向基準を図１を参照して特定すると、重力が作用する方向を下側とし、見える方向を基準として上下左右を決定し、他の図に基づく発明の詳細な説明及び請求範囲でも特に他の言及がない限り、この基準によって方向を特定して記述する。
以下、本発明による組立式棚を添付図面に基づいて説明する。
【００２０】
図１〜図３に示すように、本発明による組立式棚は、大きく、アングル本体１０、支持板２０、及びハンガー棒３０を含む。
前記アングル本体１０は、垂直フレーム１１及び水平フレーム１５を、棚構造物の形態に組み立てることによってなる。
【００２１】
具体的に、前記垂直フレーム１１は、直角形状に連結された支持部１２（すなわち、水平断面が略直角を形成するように連結されている支持部１２）と、各支持部１２の内側端（水平断面で前記連結部とは反対側にある端）から内側（垂直フレーム１１の内外側面を基準としては外側）に折り曲げられて連結されて支持部１２との間に挿合部１３Ａをなす締結部１３とからなり、複数の係合孔１１Ｈが前記締結部１３に備えられている。
前記係合孔１１Ｈは、水平フレーム１５の組立高を調節することができるように、等間隔で複数が備えられ、各締結部１３の長手方向に１個の係合孔１１Ｈが一列に又は２個以上の係合孔１１Ｈが多列に配列されることができる。
このような垂直フレーム１１は、下側端部に、前記挿合部１３Ａに結合されるＬ字形の下敷部材（図示せず）が備えられ、垂直方向に立設されて棚の柱をなすことになる。
【００２２】
そして、前記水平フレーム１５は直角形状に連結された連結部１６と受け部１７とからなり、前記係合孔１１Ｈに係合される係合突起１８が前記連結部１６の外側面の両側に備えられ、掛け部１９が前記連結部１６の内側面に備えられている。
このような水平フレーム１５は柱をなす垂直フレーム１１の所定高さに水平方向に結合されるもので、垂直フレーム１１間に四角形状に結合されて、支持板２０のための支持枠をなすことになる。
【００２３】
前記係合突起１８は連結部１６の外側面に突設され、垂直フレーム１１の内側で各締結部１３の係合孔１１Ｈに挿入されて係合される。
ここで、係合突起１８を水平フレーム１５の連結部１６に一体に形成して係合突起１８による支持力を補強することができるように、前記係合突起１８は、連結部１６の一部が切開されて形成された切開部１８ａと、前記切開部１８ａ上に前記連結部１６と連結されて突出した胴体部１８ｂと、前記切開部１８ａが形成されるように、前記胴体部１８ｂと連結されて両側に突設された羽部１８ｃとを含む。
前記胴体部１８ｂ及び羽部１８ｃは切開部１８ａが形成されるように切開された連結部１６の一部が突出して形成されたもので、羽部１８ｃが胴体部１８ｂより突出するように折り曲げられて形成されることが好ましい。
【００２４】
このような胴体部１８ｂが前記係合孔１１Ｈに挿入されるに伴って羽部１８ｃが係合孔１１Ｈの両側垂直フレーム１１の後面に接触することによって水平フレーム１５が垂直フレーム１１に固定される。
ここで、胴体部１８ｂは垂直フレーム１１の垂直方向への荷重を支持し、羽部１８ｃは垂直フレーム１１の内側斜線方向への荷重を支持する。
【００２５】
前記係合孔１１Ｈは、前記両側羽部１８ｃの幅より広く形成された上側広幅部１１ａと、前記係合突起１８の胴体部１８ｂが締まりばめされるように胴体部１８ｂの幅より狭く（少し小さく又は同一に）形成された下側狭幅部１１ｂと、前記広幅部１１ａと前記狭幅部１１ｂの間に連結され、広幅部１１ａより狭いながら狭幅部１１ｂよりは広く形成された中幅部１１ｃとからなる。
【００２６】
すなわち、係合孔１１Ｈの三つの幅は広幅部１１ａ＞中幅部１１ｃ＞狭幅部１１ｂのサイズ関係を有するように形成される。
したがって、係合突起１８を広幅部１１ａに挿入すれば、前記水平フレーム１５の荷重によって胴体部１８ｂが中幅部１１ｃにかかって１次係合され、この状態で木槌などの工具で水平フレーム１５を打撃すれば、胴体部１８ｂが狭幅部１１ｂに締まりばめされることにより、水平フレーム１５の係合突起１８が垂直フレーム１１の係合孔１１Ｈに挿入されて係合される。
【００２７】
このような係合突起１８と係合孔１１Ｈを用いて、互いに平行に配列された垂直フレーム１１の各締結部１３、１３に水平フレーム１５を四角形に結合して組み立てた後、受け部１７に支持板２０を載置すれば、支持板２０上に品物を収納して保管することができる。
この場合、支持板２０は垂直フレーム１１の内側、すなわち直角に連結された締結部１３間に装着されるので、別途の固定を設けなくてもよい。しかし、受け部１７上にボルト締結孔１７ａをさらに備え、受け部１７に載置された支持板２０をボルトで固定することもできる。
【００２８】
また、前記垂直フレーム１１は、棚の全高を変更することができるように、所定長さを有する複数の単位垂直フレームからなる。この場合、２個以上の単位垂直フレームを連結して延長することができるように、ブラケット１４を使う。
具体的に、前記ブラケット１４は、２個以上の前記垂直フレーム１１を上下に連結して延長することができるように、前記垂直フレーム１１の形状に対応する直角形状に連結されて前記挿合部１３Ａに挿入される挿入部１４Ａ、１４Ａ’からなる。
【００２９】
このようなブラケット１４は、上端と下端がそれぞれ上下側の垂直フレーム１１の挿合部１３Ａに挿入されて垂直フレーム１１を互いに連結する。
ここで、前記ブラケット１４は、挿入部１４Ａ、１４Ａ’の内外側面の中間部から突設され、前記垂直フレーム１１の端部がかかる係止フランジ１４ａを含む。
これは、ブラケット１４の挿入部１４Ａ、１４Ａ’のいずれか一つが上側又は下側の垂直フレーム１１に過度に挿入されて他の垂直フレームとブラケット間の結合力が低下することを防止する。
【００３０】
また、前記ブラケット１４は挿入部１４Ａ、１４Ａ’を連結する内側コーナー部に突設された補強片１４ｂを備えて強度が補強され、各挿入部１４Ａ、１４Ａ’の外側角部に斜線方向に切取されて形成された傾斜面１４ｅを備えることにより、ブラケット１４が挿合部１３Ａにより容易に挿入できるようにされている。
特に、前記傾斜面１４ｅは端部から垂直に形成された段差部を備えることにより、ブラケット１４の挿入部１４Ａ、１４Ａ’を挿合部１３Ａに１次に挿入するとき、前記段差部が先に挿入されてかかった状態で木槌などの工具でブラケット１４を打撃することで最終に挿合する。
【００３１】
また、前記ブラケット１４は、各挿入部１４Ａ、１４Ａ’の内側面に長手方向に凹設され、左右に所定の間隔で離隔した一対のスライド溝１４Ｂと、前記スライド溝１４Ｂの間に備えられた突出部１４Ｃと、前記突出部１４Ｃの上端、中間及び下端にそれぞれ突設された第１支持突部１４ｃ、１４ｃ’とを含むことができる。
【００３２】
前記スライド溝１４Ｂは、各スライド溝１４Ｂの外側辺間の幅が前記係合孔１１Ｈの広幅部１１ａに相応する幅を有するように形成され、突出部１４Ｃ側の左右幅は前記係合孔１１Ｈの狭幅部１１ｂに相応する幅を有するように形成される。
このようなスライド溝１４Ｂは、挿入部１４Ａ、１４Ａ’が挿合部１３Ａに挿入されるとき、挿入部１４Ａ、１４Ａ’の内側面と締結部１３の外側面間の摩擦面積を減らして、ブラケット１４の結合をより容易にする。
【００３３】
特に、第１支持突部１４ｃ、１４ｃ’のうち前記係止フランジ１４ａに隣り合う第１支持突部１４ｃ’は、突出高が挿入部１４Ａ、１４Ａ’の厚さより大きく、つまり第１支持突部１４ｃ’の端部が挿入部１４Ａ、１４Ａ’の内側面より突出する又はもっと突出した突起を備えることで、垂直フレーム１１とブラケット１４の結合時、第１支持突部１４ｃ’（又は突起）が係合孔１１Ｈの上下内側端にかかってブラケット１４の分離を防止する。ここで、第１支持突部１４ｃ’を係合孔１１Ｈから強制的に離脱させることにより、垂直フレーム１１とブラケット１４を分離することができる。
【００３４】
また、残りの第１支持突部１４ｃは、突出高が挿入部１４Ａ、１４Ａ’の厚さと同一に形成されることで、垂直フレーム１１とブラケット１４の結合時、第１支持突部１４ｃ’が係合孔１１Ｈ間の締結部１３の外側面を支持することにより、締結部１３の一部が外側に押されることを防止して垂直フレーム１１とブラケット１４の分離を容易にする。
また、前記ブラケット１４は、各スライド溝１４Ｂの外側辺の上端と中間（上側挿入部１４Ａの場合）又は中間と下端（下側挿入部１４Ａ’の場合）に内側辺に向かって突設された第２支持突部１４ｄを含むことができる。
前記第２支持突部１４ｄも突出高が挿入部１４Ａ、１４Ａ’の厚さと同一に形成されることにより、垂直フレーム１１とブラケット１４の結合時、第２支持突部１４ｄが係合孔１１Ｈ間の締結部１３の外側面を支持して、第１支持突部１４ｃと同様に垂直フレーム１１とブラケット１４の分離を容易にする。
【００３５】
このような構成のアングル本体１０は、
ブラケット１４を用いて棚の全高を変更して設置することができる、
水平フレーム１５を垂直フレーム１１の係合孔１１Ｈのいずれか一つに結合することによって支持板２０の高さを多様に変更して設置することができる、
このような棚の組立には、ボルトの使用が不要であり棚の組立が容易であり便利にすることができる、などの利点がある。
【００３６】
特に、係合孔１１Ｈ及びこれに結合される係合突起１８が支持部１２により隠されている結合構造により、水平フレーム１５の設置高の調節が可能な組立式棚においては必須の係合孔１１Ｈ及び係合突起１８が外部から見えないので、アングル本体１０の外観をシンプルに構成することができる。又、このような組立構造に適用されるブラケット１４も、外部への露出面積を最小化しながら垂直フレーム１１間の結合を堅固にして、組立式棚のデザイン的な全体美観を向上させることができるとの効果がある。
【００３７】
それだけでなく、係合孔１１Ｈの間隔に合わせたスライド溝１４Ｂ及び第１及び第２支持突部１４ｃ、１４ｃ’、１４ｄの構造的な非接触支持により、ブラケット１４の結合時に発生する摩擦力を最小化するとともに、締結部１３に対する部分的な支持が可能であり、ブラケット１４の結合及び分解を適切な力で容易に実施できるとの効果がある。
【００３８】
一方、本発明は前述した構造に組み立てられたアングル本体１０の内部に水平方向に結合されるハンガー棒３０をさらに含むことができる。
前記ハンガー棒３０はハンガーなどに品物をかけて保管することができるようにするもので、互いに向き合うように組み立てられた水平フレーム１５の掛け部１９に結合されて組み立てられる。
【００３９】
このために、前記掛け部１９は連結部１６の内側面（係合突起１８が備えられた面の反対側面）に上端が開口したＵ字形に突設される。
図面では、代表的に、アングル本体１０の最上側に配置される左右水平フレーム１５に前記掛け部１９が備えられ、ハンガー棒３０がアングル本体１０の内部に左右に水平方向に組み立てられるものとして示されているが、このような掛け部１９は全て又は一部の水平フレーム１５に備えられることにより、ハンガー棒３０の設置高及び方向を自由に変更して組み立てることができる。
また、水平フレーム１５に複数の掛け部１９を備えることにより、ハンガー棒３０の設置個数及び設置位置を変更することができるのは言うまでもない。
【００４０】
以上の本発明の説明において、添付図面に基づいて、特定の形状及び構造を有する非露出型係合孔を備えた組立式棚を主として説明したが、本発明は当業者によって多様な修正、変更及び置換が可能であり、このような修正、変更及び置換は本発明の保護範囲に属するものに解釈されなければならない。
【符号の説明】
【００４１】
１０                アングル本体
１１                垂直フレーム
１２                支持部
１３                締結部
１３Ａ              挿合部
１１Ｈ              係合孔
１１ａ              広幅部
１１ｂ              狭幅部
１１ｃ              中幅部
１４                ブラケット
１４Ａ、１４Ａ’    挿入部
１４Ｂ            スライド溝
１４Ｃ            突出部
１４ａ            係止フランジ
１４ｂ            補強片
１４ｃ、１４ｃ’  第１支持突部
１４ｄ            第２支持突部
１４ｅ            傾斜面
１５              水平フレーム
１６              連結部
１７              受け部
１７ａ            ボルト締結孔
１８              係合突起
１８ａ            切開部
１８ｂ            胴体部
１８ｃ            羽部
１９              掛け部
２０              支持板
３０              ハンガー棒
【図１】
2019170999.tif 000003
【図２】
2019170999.tif 000004
【図３】
2019170999.tif 000005